(57)【要約】【課題】従来、後続育苗容器が支持体を退避させて、後続育苗容器が先行育苗容器の底面を支持するまでに、タイムラグが生じ、後続育苗容器の上面に先行育苗容器が落下するという課題がある。【解決手段】育苗容器Ａを移送しうる育苗容器移送台の終端部に一体または別体で設けられ、前記育苗容器移送台より移送される育苗容器Ａを受け入れる取出用受入部８を有するフレーム７と、該取出用受入部８に取出された育苗容器Ａを上昇させうる上昇機構１０と、前記取出用受入部８の上方位置に設けられ前記上昇機構１０が上昇させた育苗容器Ａを支持する支持装置２０とから構成し、前記フレーム７には、前記支持装置２０が支持している積上げ育苗容器Ａを、支持装置２０の支持体２３が退避したとき保持する保持装置３０を設けた育苗容器積み上げ段積取出装置。【選択図】  図１
2019103464.tif 000002
【特許請求の範囲】
【請求項１】
育苗容器Ａを移送しうる育苗容器移送台の終端部に一体または別体で設けられ、前記育苗容器移送台より移送される育苗容器Ａを受け入れる取出用受入部８を有するフレーム７と、該取出用受入部８に取出された育苗容器Ａを上昇させうる上昇機構１０と、前記取出用受入部８の上方位置に設けられ前記上昇機構１０が上昇させた育苗容器Ａを支持する支持装置２０とから構成し、前記フレーム７には、前記支持装置２０が支持している積上げ育苗容器Ａを、支持装置２０の支持体２３が退避したとき保持する保持装置３０を設けた育苗容器積み上げ段積取出装置。
【請求項２】
請求項１において、前記保持装置３０は、前記フレーム７にアーム３１の左右中間部を回動支点軸３２により回動自在に取付け、アーム３１の一端側には上昇した育苗容器Ａ側に係合する係合位置と育苗容器Ａの側方に退避する退避位置の間回動する係合支持部３５を設け、係合支持部３５はバネ３６により常時係合位置に回動するように付勢する構成とした育苗容器積み上げ段積取出装置。
【請求項３】
請求項２において、前記係合支持部３５は、育苗容器Ａ側に係合する段部３７を回動支点軸３２を中心にして円弧状に複数並設して構成した育苗容器積み上げ段積取出装置。
【請求項４】
請求項３において、前記保持装置３０は、係合支持部３５の高さ位置をフレーム７に対して上下調節可能に構成した育苗容器積み上げ段積取出装置。
【請求項５】
育苗容器移送台から種子の供給を受けて取出用受入部８に受け入れた播種済みの育苗容器Ａを上昇機構１０により垂直方向に上昇させ、この上昇する育苗容器Ａの側面により支持装置２０の支持体２３を取出用受入部８の外側へ一旦退避させ、育苗容器Ａの底面が支持体２３を通過すると、退避した支持体２３を支持位置に復帰させ、支持体２３が復帰すると、育苗容器Ａに保持装置３０の係合支持部３５が係合し、次に、上昇機構１０による後続育苗容器Ａの上昇で、支持体２３を一旦退避させると共に、後続育苗容器Ａが先行育苗容器Ａの底面に当接し、後続育苗容器Ａと先行育苗容器Ａとが一体となって保持装置３０の係合支持部３５を退避させながら上昇機構１０により上昇し、育苗容器Ａの底面が支持体２３を通過すると、退避した支持体２３を支持位置に復帰させ、支持体２３が復帰すると、最下段の育苗容器Ａに保持装置３０の係合支持部３５が係合する育苗容器積み上げ段積取出方法。
【請求項６】
請求項５において、前記保持装置３０は保持装置３０の係合支持部３５の高さ位置をフレーム７に対して上下調節可能に構成し、該保持装置３０の高さ調節は、育苗容器Ａを支持装置２０の支持体２３の支持面２５に支持させた状態で、一旦、保持装置３０の係合支持部３５を育苗容器Ａの側リブ３３の下方に位置させ、次に、保持装置３０を上昇させ、支持装置２０の支持体２３に支持された状態の育苗容器Ａの側リブ３３の下端と係合する段部３７の上面との間に、係合支持部３５が係合位置に復帰回動しうる隙間Ｓを設けるように調節する構成とした育苗容器積み上げ段積取出方法。
【発明の詳細な説明】
【技術分野】
【０００１】
本発明は、移送されてくる育苗容器を順次上方へ向けて積み上げながら段積して取出す育苗容器積み上げ段積取出装置および育苗容器積み上げ段積取出方法に係るものである。
【背景技術】
【０００２】
従来、育苗容器を移送しうる育苗容器移送台の終端部に設けられ、前記育苗容器移送台より移送される育苗容器を受け入れる取出用受入部を有するフレームと、該取出用受入部に取出された育苗容器を上昇させうる上昇機構と、前記取出用受入部の上方位置に設けられ前記上昇機構が上昇させた育苗容器を支持する支持装置とから構成した育苗容器積み上げ段積取出装置は、公知である（特許文献１）
【先行技術文献】
【特許文献】
【０００３】
【特許文献１】特開２００２−２３８３５５号公報
【発明の概要】
【発明が解決しようとする課題】
【０００４】
前記公知例は、後続育苗容器が支持体を退避させて、後続育苗容器が先行育苗容器の底面を支持するまでに、タイムラグが生じ、後続育苗容器の上面に先行育苗容器が落下するという課題がある。
本願は、上昇する育苗容器を支持装置の支持体が支持する構成でありながら、先行育苗容器群の落下を防止し、振動による育苗容器の上面の播種面の乱れを防止するものである。
【課題を解決するための手段】
【０００５】
請求項１の発明は、育苗容器Ａを移送しうる育苗容器移送台の終端部に一体または別体で設けられ、前記育苗容器移送台より移送される育苗容器Ａを受け入れる取出用受入部８を有するフレーム７と、該取出用受入部８に取出された育苗容器Ａを上昇させうる上昇機構１０と、前記取出用受入部８の上方位置に設けられ前記上昇機構１０が上昇させた育苗容器Ａを支持する支持装置２０とから構成し、前記フレーム７には、前記支持装置２０が支持している積上げ育苗容器Ａを、支持装置２０の支持体２３が退避したとき保持する保持装置３０を設けた育苗容器積み上げ段積取出装置としたものである。
請求項２の発明は、前記保持装置３０は、前記フレーム７にアーム３１の左右中間部を回動支点軸３２により回動自在に取付け、アーム３１の一端側には上昇した育苗容器Ａ側に係合する係合位置と育苗容器Ａの側方に退避する退避位置の間回動する係合支持部３５を設け、係合支持部３５はバネ３６により常時係合位置に回動するように付勢する構成とした育苗容器積み上げ段積取出装置としたものである。
請求項３の発明は、前記係合支持部３５は、育苗容器Ａ側に係合する段部３７を回動支点軸３２を中心にして円弧状に複数並設して構成した育苗容器積み上げ段積取出装置としたものである。
請求項４の発明は、前記保持装置３０は、係合支持部３５の高さ位置をフレーム７に対して上下調節可能に構成した育苗容器積み上げ段積取出装置としたものである。
請求項５の発明は、育苗容器移送台から種子の供給を受けて取出用受入部８に受け入れた播種済みの育苗容器Ａを上昇機構１０により垂直方向に上昇させ、この上昇する育苗容器Ａの側面により支持装置２０の支持体２３を取出用受入部８の外側へ一旦退避させ、育苗容器Ａの底面が支持体２３を通過すると、退避した支持体２３を支持位置に復帰させ、支持体２３が復帰すると、育苗容器Ａに保持装置３０の係合支持部３５が係合し、次に、上昇機構１０による後続育苗容器Ａの上昇で、支持体２３を一旦退避させると共に、後続育苗容器Ａが先行育苗容器Ａの底面に当接し、後続育苗容器Ａと先行育苗容器Ａとが一体となって保持装置３０の係合支持部３５を退避させながら上昇機構１０により上昇し、育苗容器Ａの底面が支持体２３を通過すると、退避した支持体２３を支持位置に復帰させ、支持体２３が復帰すると、最下段の育苗容器Ａに保持装置３０の係合支持部３５が係合する育苗容器積み上げ段積取出方法としたものである。
請求項６の発明は、前記保持装置３０は保持装置３０の係合支持部３５の高さ位置をフレーム７に対して上下調節可能に構成し、該保持装置３０の高さ調節は、育苗容器Ａを支持装置２０の支持体２３の支持面２５に支持させた状態で、一旦、保持装置３０の係合支持部３５を育苗容器Ａの側リブ３３の下方に位置させ、次に、保持装置３０を上昇させ、支持装置２０の支持体２３に支持された状態の育苗容器Ａの側リブ３３の下端と係合する段部３７の上面との間に、係合支持部３５が係合位置に復帰回動しうる隙間Ｓを設けるように調節する構成とした育苗容器積み上げ段積取出方法としたものである。
【発明の効果】
【０００６】
請求項１の発明では、支持装置２０が支持している積上げ育苗容器Ａを、支持装置２０の支持体２３が退避したとき保持する保持装置３０を設けているので、支持装置２０の支持体２３を先行育苗容器Ａの下面から退避させても、保持装置３０が先行育苗容器Ａを含めた積上げ育苗容器Ａ群を支持し、後続育苗容器Ａの上に先行育苗容器Ａが落下するのを防止でき、そのため、後続育苗容器Ａの上に先行育苗容器Ａが落下する際の振動発生を防止でき、育苗容器Ａの播種面が乱れるのを防止でき、播種装置による播種精度を保持したまま、積み上げて取り出し作業を行える。
請求項２の発明では、保持装置３０は、回動自在のアーム３１と、アーム３１に設けた育苗容器Ａ側に係合する係合位置と育苗容器Ａの側方に退避する退避位置の間回動する係合支持部３５と、係合支持部３５を付勢するバネ３６により構成しているので、保持装置３０を簡素に構成できる。
請求項３の発明では、係合支持部３５は、育苗容器Ａ側に係合する段部３７を回動支点軸３２を中心にして円弧状に複数並設しているので、左右幅の相違する育苗容器Ａでも、段部３７は係合保持して先行育苗容器Ａ群が落下するのを防止できる。
請求項４の発明では、保持装置３０は、係合支持部３５の高さ位置をフレーム７に対して上下調節可能に構成しているので、支持装置２０の支持体２３による育苗容器Ａの支持に対して保持装置３０の段部３７が干渉するのを防止できる。
請求項５の発明では、支持装置２０の支持体２３を先行育苗容器Ａの下面から退避させても、保持装置３０が先行育苗容器Ａを含めた積上げ育苗容器Ａ群を支持し、後続育苗容器Ａの上に先行育苗容器Ａが落下するのを防止でき、そのため、後続育苗容器Ａの上に先行育苗容器Ａが落下する際の振動発生を防止でき、育苗容器Ａの播種面が乱れるのを防止でき、播種装置による播種精度を保持したまま、積み上げて取り出し作業を行える。
請求項６の発明では、保持装置３０の高さ調節を、係合支持部３５の段部３７が、支持装置２０の支持体２３に支持された状態の育苗容器Ａの側リブ３３の下端と係合する段部３７の上面との間に、係合支持部３５が係合位置に復帰回動しうる隙間Ｓを設けるように調節するので、先行育苗容器Ａの上昇により退避した係合支持部３５は、後続育苗容器Ａの側リブ３３の下方の係合位置に確実に回動復帰し、次工程における最下段の育苗容器Ａの下降（落下）を防止する。
【図面の簡単な説明】
【０００７】
【図１】育苗容器積み上げ段積取出装置の一部縦断背面図。
【図２】上昇回転体の背面図。
【図３】支持装置の背面図。
【図４】保持装置の背面図。
【図５】育苗容器積み上げ段積取出装置の一部縦断背面図。
【図６】前後一対の保持装置の斜視図。
【図７】取付板の背面図および平面図。
【図８】支持部の平面図、側面図背面図。
【図９】支持体が育苗容器の底面から外れる状態の背面図。
【図１０】保持装置が育苗容器の底面下方の待機位置に移動した状態の背面図。
【発明を実施するための形態】
【０００８】
本発明の一実施形態を図面により説明すると、１は播種装置（図示省略）の育苗容器移送台であり、育苗容器移送台１は育苗容器Ａを移送する移送装置２を有し、移送装置２の上方位置に土供給装置、播種装置、潅水装置等の全部または一部を設ける。前記育苗容器Ａは合成樹脂等により上面を開放した引出し形状の四角箱状に形成されている。
育苗容器移送台１の終端には、播種済みの育苗容器Ａを下から上に積み重ねるように段積みして取り出す育苗容器積み上げ段積取出装置５を設ける。育苗容器積み上げ段積取出装置５は、左右一対のフレーム７を有して構成し、フレーム７は移送装置２の終端上方位置に着脱自在に取付ける（図１）。
【０００９】
前記フレーム７には、土の供給等を受けた播種済みの育苗容器Ａを受け入れる取出用受入部８を設ける。取出用受入部８は前記フレーム７に支持ローラ９を育苗容器Ａの搬送方向に複数並設して構成する。
取出用受入部８の前後側には育苗容器Ａを上昇させる上昇機構１０の上昇回転体１２を設ける。上昇回転体１２はアーム１３の先端をＬ型形状に屈曲したような円弧形状の上昇当接部１４を設けて構成し、アーム１３の基部は前後方向の上昇用回転軸１５に前後一対となるように並設して夫々固定し、該上昇用回転軸１５はフレーム７に左右両側に相対峙するように軸装する（図１、図２）。
したがって、上昇回転体１２は、左右の上昇用回転軸１５に前後夫々設けられ、育苗容器Ａの前後左右の４カ所に当接して上昇させる。
【００１０】
上昇回転体１２の上昇当接部１４は、上昇用回転軸１５にモータ（図示省略）の駆動力を伝達して支持ローラ９に支持されている育苗容器Ａの下面下方位置から前記支持ローラ９より所定上方位置に設けた後述する支持装置２０まで上昇用回転軸１５中心に回転する。
前記支持装置２０は、アーム２１の基部の下部を横軸２２によりフレーム７に回動自在に取付け、アーム２１の上部に上昇した育苗容器Ａの下方に位置する支持位置と育苗容器Ａの側方に位置する退避位置の間回動する支持体２３を設け、支持体２３はバネ２４により常時支持位置に回動するように付勢する（図１、図３）。
【００１１】
前記支持体２３は上部に横板状の支持面２５に形成し、支持面２５は育苗容器Ａの左右幅をよりも狭い間隔で待機させて、支持面２５の中央側には上昇する育苗容器Ａの左右側面が摺接して外側回動させる傾斜面２６に形成する。
また、アーム２１は育苗容器Ａの左右幅より広く配置し、育苗容器Ａの上昇に干渉しないように構成する。
フレーム７には、前記支持装置２０が支持している積上げ育苗容器Ａを、支持装置２０の支持体２３が退避したとき保持する保持装置３０を、左右一対であって前後一対で設ける（図６）。
【００１２】
保持装置３０は、アーム３１の左右中間部を回動支点軸３２によりフレーム７に回動自在に取付け、アーム３１の一端側（内側端）には上昇した育苗容器Ａの側リブ３３に係合する係合位置と育苗容器Ａの側方に退避する退避位置の間回動する係合支持部３５を設け、係合支持部３５はバネ３６により常時係合位置に回動するように付勢する。前記係合支持部３５は、段部３７を回動支点軸３２を中心にして円弧状に鋸の刃のように複数並設して構成する（図４）。
【００１３】
保持装置３０は、育苗容器Ａが上昇回転体１２により上昇すると、育苗容器Ａの左右側面は保持装置３０の係合支持部３５の段部３７の内側面に摺接し、係合支持部３５を外側回動させて退避させ、育苗容器Ａが左右の係合支持部３５の段部３７の上端を通過すると、左右の係合支持部３５はバネ３６の弾力により内側回動し、係合支持部３５の段部３７が育苗容器Ａの側リブ３３の下端面の下方に位置し、上昇回転体１２から育苗容器Ａの底面が外れると、育苗容器Ａの側リブ３３の下端面が係合支持部３５の段部３７の上面に係合して支持される。
【００１４】
したがって、後続の育苗容器Ａが上昇して支持装置２０の支持体２３の支持面２５が退避しても、先行育苗容器Ａは保持装置３０の係合支持部３５により支持されて積上げ状態を保持して、落下を防止する。
また、係合支持部３５の段部３７は、回動支点軸３２を中心にして円弧状に鋸の刃のように複数並設し、左右幅の相違する育苗容器Ａでも、この育苗容器Ａの側リブ３３は複数の段部３７の何れか一つの段部３７上に位置して係合保持可能に構成している（図４）。
【００１５】
保持装置３０は、回動支点軸３２の高さ位置を、上下調節可能に構成する。回動支点軸３２は取付板４０に軸装し、取付板４０の上部には縦の取付軸４１の下部を回転のみ自在に取付け、取付軸４１の上部はフレーム７に着脱自在に取付ける支持部４２に螺合させ、取付軸４１の上部には調節ダイヤル４３を取付ける（図５）。
４０Ａは取付軸４１を螺合させる取付片、４０Ｂは縦板部、４０Ｃは長孔、４０Ｄはバネ３６を係止するバネ係止部、４０Ｅは後述するストッパ４６を取付ける突片である（図７）。
【００１６】
４２Ａは取付軸４１を螺合させる支持部４２の取付片、４２Ｂは支持部４２の縦板部、４２Ｃは支持部４２の補強板部、４４は支持部４２の板部４２Ｄに設けた上下に長い長孔であり、回動支点軸３２が上下する（図８）。
支持部４２はフレーム７に上方から被せて取付け、高さ調節ダイヤル４３を回転させると、支持部４２に対して取付板４０が上下し、これにより、回動支点軸３２の高さが変更調節される。
【００１７】
この保持装置３０の高さ調節は、育苗容器Ａを支持装置２０の支持体２３の支持面２５に支持させた状態で、一旦、保持装置３０の係合支持部３５を育苗容器Ａの側リブ３３の下方に位置させ、次に、取付板４０の高さ調節ダイヤル４３を回転させて、取付板４０を上昇させると、回動支点軸３２の高さが上昇し、保持装置３０の係合支持部３５の段部３７が育苗容器Ａの側リブ３３の下端に下方から当接し、保持状態になり、高さ調節が終了する。
【００１８】
この場合、保持装置３０の高さ調節は、係合支持部３５の段部３７が、支持装置２０の支持体２３に支持された状態の育苗容器Ａの側リブ３３の下端と係合する段部３７の上面との間に、係合支持部３５が係合位置に復帰回動しうる隙間Ｓを設けるように調節する（図１０）。
そのため、先行育苗容器Ａの上昇により退避した係合支持部３５は、後続育苗容器Ａの側リブ３３の下方の係合位置に確実に回動復帰し、次工程における最下段の育苗容器Ａの下降（落下）を防止する。
【００１９】
また、育苗容器Ａの側面には、側リブ３３との間に不定形の補強リブが形成されていることがあるが、保持装置３０は、支持部４２をフレーム７に固定するボルト４９によりフレーム７に対して育苗容器Ａの移送方向に移動自在に取付ける構成としている。
そのため、ボルト４９を緩めることにより、保持装置３０を、支持部４２毎、フレーム７に対して育苗容器Ａの移送方向に前後に移動させて、育苗容器Ａと保持装置３０とが干渉するの防止する。
【００２０】
これにより、保持装置３０は、フレーム７に対して上下および前後に位置調節可能となって、多種の育苗容器Ａの積上げに対応することができ、汎用性を向上させることができる。
なお、保持装置３０の上下調節機構の取付板４０には、バネ３６により係合方向に付勢される係合支持部３５の回動を停止させるストッパ４６を設ける。本実施形態では取付板４０に螺合させたボルトによりストッパ４６を構成している。
前記上昇機構１０の上昇当接部１４には、育苗容器Ａを支持装置２０の支持体２３の退避位置よりも上方の下降開始位置から、支持位置の支持装置２０の支持体２３まで誘導する誘導面部５０を連続形成する。
【００２１】
上昇当接部１４は半円の円弧形状に形成され、上昇当接部１４の最大回転軌跡Ｇに対して徐々に回転中心側に後退してゆく円弧面に誘導面部５０を形成する。
そのため、上昇当接部１４が所定高さ位置にまで上昇して、育苗容器Ａの底面が上昇当接部１４上から滑落を開始すると、育苗容器Ａは誘導面部５０により斜め内側の支持装置２０の支持体２３に向けて斜めに滑落移動して支持体２３上面に載置される。
これにより、育苗容器Ａは上昇機構１０の上昇当接部１４および誘導面部５０から支持装置２０の支持体２３上へ垂直落下するのを防止でき、載置衝撃を緩和させられる。
【００２２】
なお、最下段の育苗容器Ａの下面は、一旦、上昇当接部１４により支持位置に待機する支持体２３の支持面２５の上面より上方位置に上昇させられてから誘導面部５０により誘導されて下降し、この下降中に、前記した育苗容器Ａの側リブ３３の下端と係合する段部３７の上面との間に隙間Ｓが形成されて係合支持部３５が係合位置に復帰回動する。
【００２３】
（実施形態の作用）
本発明は以上の構成であるから、播種装置の育苗容器移送台の移送装置に供給された土や種子等の供給を受けた播種済みの育苗容器Ａは移送装置により育苗容器移送台１の終端部に移送される。
播種装置の育苗容器移送台１の終端には、播種済みの育苗容器Ａを下から上に積み上げるように段積みして取り出す育苗容器積み上げ段積取出装置１を設けているので、育苗容器移送台１の終端部に移送された育苗容器Ａは、育苗容器積み上げ段積取出装置５の上昇回転体１２が回転を開始して育苗容器Ａの底面に当接して押し上げる。
【００２４】
育苗容器Ａが上昇回転体１２により上昇すると、育苗容器Ａの左右側面は支持装置２０の支持体２３の傾斜面２６の内面に摺接し、支持体２３を外側回動させて退避させ、育苗容器Ａが左右の支持体２３の傾斜面２６の上端を通過すると、左右の支持体２３はバネ２４の弾力により内側回動し、支持体２３の支持面２５が育苗容器Ａの下面に下方に位置し、すると、上昇回転体１２から育苗容器Ａは離脱して下降を開始して、育苗容器Ａの下面は支持体２３の支持面２５の上面に載置されて支持される。
【００２５】
次ぎに、上昇回転体１２が上昇用回転軸１５中心に回転して後続の育苗容器Ａを上昇させ、後続育苗容器Ａは支持装置２０上にある先行育苗容器Ａごと上昇させ、最下段の育苗容器Ａが支持体２３を通過すると、支持体２３により支持され、この作業を反復して、上昇回転体１２により上昇させた育苗容器Ａを次々に支持装置２０上に支持して上方に積み上げ、支持装置２０上に育苗容器Ａが所定数積み上げられると、支持装置２０上から降ろす。
【００２６】
この場合、上昇回転体１２が上昇させた後続育苗容器Ａが支持装置２０の支持体２３の傾斜面２６に当接させて退避させると、先行育苗容器Ａの下面を支持していた支持面２５も先行育苗容器Ａの下面から退避し、図９のように、後続育苗容器Ａの上面と先行育苗容器Ａの下面との間に隙間が生じ、このまま、支持装置２０の支持体２３を先行育苗容器Ａの下面から退避させると、支持体２３上の育苗容器Ａ群は後続育苗容器Ａの上面に先行育苗容器Ａが落下することになる。
【００２７】
すなわち、図９の状態では、上昇機構１０の上昇当接部１４は後続育苗容器Ａのみを支持しており、既に積上げられた段積み育苗容器Ａ群のうちの最下段の育苗容器Ａの下面は支持体２３の支持面２５のみによって支持されているので、支持面２５が先行育苗容器Ａの下面から退避すると、後続育苗容器Ａの上面と先行育苗容器Ａの下面との間に隙間が生じるのである。
【００２８】
本発明では、フレーム７には、支持装置２０が支持している積上げ育苗容器Ａを、支持装置２０の支持体２３が退避したとき保持する保持装置３０を設けているので、支持装置２０の支持体２３を先行育苗容器Ａの下面から退避させても、保持装置３０の係合支持部３５が先行育苗容器Ａを含めた積上げ育苗容器Ａ群を支持し、後続育苗容器Ａの上に先行育苗容器Ａが落下するのを防止する。
【００２９】
そのため、後続育苗容器Ａの上に先行育苗容器Ａが落下する際の振動発生を防止でき、育苗容器Ａの播種面が乱れるのを防止でき、播種装置による播種精度を保持したまま、積み上げて取り出し作業を行える。
なお、後続育苗容器Ａの上面と先行育苗容器Ａの下面との間の隙間は僅か数ミリメートルのものであるが、１０枚の育苗容器Ａを積上げる度に生じる振動を多数回受けると、育苗容器Ａの播種面が乱れるが、本発明はこれを防止する。
【００３０】
保持装置３０は、アーム３１の左右中間部を回動支点軸３２によりフレーム７に回動自在に取付け、アーム３１の一端側（内側端）には上昇した育苗容器Ａの側リブ３３に係合する係合位置と育苗容器Ａの側方に退避する退避位置の間回動する係合支持部３５を設け、係合支持部３５はバネ３６により常時係合位置に回動するように付勢されているので、育苗容器Ａが上昇回転体１２により上昇すると、育苗容器Ａの左右側面は保持装置３０の係合支持部３５の段部３７の内側面に摺接し、係合支持部３５を外側回動させて退避させ、育苗容器Ａが左右の係合支持部３５の段部３７の上端を通過すると、左右の係合支持部３５はバネ３６の弾力により内側回動して、待機状態となる。
【００３１】
係合支持部３５の段部３７が育苗容器Ａの側リブ３３の下端面の下方に位置する待機状態となったとき、育苗容器Ａの側リブ３３は待機状態の係合支持部３５の各段部３７より一旦上方に位置し、上昇回転体１２からの離脱により育苗容器Ａの側リブ３３の下端面は係合支持部３５の何れかの段部３７の上面に載置されて支持される。
なお、保持装置３０の係合支持部３５の段部３７も、上昇する後続育苗容器Ａの側面が下方から押すと、回動支点軸３２中心に外側回動して退避するが、このときには、後続育苗容器Ａの上面により先行育苗容器の底面を支持するので、係合支持部３５が退避しても、段積み育苗容器Ａ群は下降しない。
【００３２】
したがって、後続の育苗容器Ａが上昇して支持装置２０の支持体２３の支持面２５が退避しても、先行育苗容器Ａは上昇する後続育苗容器Ａにより支持され、後続育苗容器Ａの側リブ３３が段部３７を通過すると、係合支持部３５は係合位置に復帰して待機し、前記作業を反復する。
また、係合支持部３５の段部３７は、回動支点軸３２を中心にして円弧状に鋸の刃のように複数並設しているので、左右幅の相違する育苗容器Ａでも、この育苗容器Ａの側リブ３３は複数の段部３７の何れか一つの段部３７上に位置して係合保持可能である。
【００３３】
保持装置３０は回動支点軸３２の高さ位置を上下調節可能に構成しているので、育苗容器Ａを支持装置２０の支持体２３の支持面２５に支持させた状態で、一旦、保持装置３０の係合支持部３５を育苗容器Ａの側リブ３３の下方に位置させ、次に、取付板４０の高さ調節ダイヤル４３を回転させて、取付板４０を上昇させると、回動支点軸３２の高さが上昇し、保持装置３０の係合支持部３５の段部３７が育苗容器Ａの側リブ３３の下端に下方から当接する保持状態になり、この保持状態の僅か下方に係合支持部３５の段部３７を位置させて、高さ調節が終了する。
【００３４】
したがって、上昇回転体１２により最下段の育苗容器Ａを上昇させて、育苗容器Ａの下面が支持装置２０の支持体２３を通過すると、バネにより復帰した支持体２３により支持されるが、このとき、保持装置３０の係合支持部３５の段部３７は、支持体２３で支持されている育苗容器Ａの側リブ３３の下端下方にある待機位置に高さ調節されているので、確実に支持体２３で支持されている育苗容器Ａの側リブ３３の下端下方に位置し、支持体２３が退避したときに、その高さ位置にて下降させずに積上げ育苗容器Ａ群を確実に保持して、落下を防止する。
【００３５】
この場合、保持装置３０の高さ調節は、係合支持部３５の段部３７が、支持装置２０の支持体２３に支持された状態の育苗容器Ａの側リブ３３の下端と係合する段部３７の上面との間に、係合支持部３５が係合位置に復帰回動しうる隙間Ｓを設けるように調節するので、先行育苗容器Ａの上昇により退避した係合支持部３５は、後続育苗容器Ａの側リブ３３の下方の係合位置に確実に回動復帰し、次工程における最下段の育苗容器Ａの下降（落下）を防止する。
【符号の説明】
【００３６】
１…育苗容器移送台、２…移送装置、５…育苗容器積み上げ段積取出装置、７…フレーム、８…取出用受入部、９…支持ローラ、１０…上昇機構、１２…上昇回転体、１３…アーム、１４…上昇当接部、１５…上昇用回転軸、２０…支持装置、２１…アーム、２２…横軸、２３…支持体、２４…バネ、２５…支持面、２６…傾斜面、３０…保持装置、３１…アーム、３２…回動支点軸、３３…側リブ、３５…係合支持部、３６…バネ、３７…段部、４０…取付板、４０Ａ…取付片、４０Ｂ…縦板部、４０Ｃ…長孔、４０Ｄ…バネ係止部、４０Ｅ…突片、４１…取付軸、４２…支持部、４２Ａ…取付片、４２Ｂ…縦板部、４２Ｃ…補強板部、４３…高さ調節ダイヤル、５０…誘導面部。
【図１】
2019103464.tif 000003
【図２】
2019103464.tif 000004
【図３】
2019103464.tif 000005
【図４】
2019103464.tif 000006
【図５】
2019103464.tif 000007
【図６】
2019103464.tif 000008
【図７】
2019103464.tif 000009
【図８】
2019103464.tif 000010
【図９】
2019103464.tif 000011
【図１０】
2019103464.tif 000012